(57)【要約】【課題】空気を巻き込み難く、液体試料が漏出しにくく、取り扱い易く、周囲を汚染しない顕微鏡標本用プレートを提供する。【解決手段】ガラス板２の表面に、内側凹状溝３ａ及び外側凹状溝３ｂにより囲まれた液体塗沫部４を設けたことを特徴とする。液体塗沫部４の尿沈渣等の液体試料が塗沫されるが、液体試料は内側凹状溝３ａで堰止められ、内側凹状溝３ａで堰止められない液体試料は外側凹状溝３ｂで堰止められ、周囲への漏出、汚染が防止される。【選択図】図１
2006177875.tif 000002
【特許請求の範囲】
【請求項１】
ガラス板の表面に、凹状溝により囲まれた液体試料塗沫部を設けたことを特徴とする顕微鏡標本用プレート。
【請求項２】
凹状溝が２重の凹状溝からなる請求項１記載の顕微鏡標本用プレート。
【請求項３】
内側の凹状溝が幅０．３〜１．０ｍｍ、深さ０．３〜１．０ｍｍ、外側の凹状溝が幅０．５〜１．５ｍｍ、深さ０．５〜１．５ｍｍからなる請求項２記載の顕微鏡標本用プレート。
【請求項４】
液体試料塗沫部をガラス板の表面よりも僅かに低い位置に設けた請求項１〜３のいずれか１項に記載の顕微鏡標本用プレート。
【請求項５】
液体試料塗沫部をガラス板の表面よりも０．１〜０．３ｍｍ低い位置に設けた請求項１〜４のいずれか１項に記載の顕微鏡標本用プレート。
【請求項６】
液体試料塗沫部の外周の一部又は全部に堰止部を設けた請求項１〜５のいずれか１項に記載の顕微鏡標本用プレート。
【請求項７】
液体試料塗沫部の近傍に記録部を設けた請求項１〜６のいずれか１項に記載の顕微鏡標本用プレート。
【請求項８】
臨床検査用である請求項１〜７のいずれか１項に記載の顕微鏡標本用プレート。
【発明の詳細な説明】
【技術分野】
【０００１】
本発明は顕微鏡標本用プレートに関し、更に詳しくは、液体試料が洩出し難く、且つ空気を巻き込み難い、臨床検査で用いられる顕微鏡標本用プレートに関する。
【背景技術】
【０００２】
尿検査は個々の健康状態を把握する上で基本的且つ重要な臨床検査の指標の一つであり、健康診断や病気の際には必ずと云ってよい程尿検査が行われている。このように尿検査は体調を示す重要な指標の一つである。
尿の検査には、尿のｐＨ、蛋白、潜血反応等を検査する尿定性検査と、尿中の有形成分を検査する尿沈渣検査等がある。
尿沈渣の成分は、主に泌尿器系に由来する各種円柱、結晶体、赤血球、白血球、上皮細胞、その他細菌等である。
【０００３】
尿沈渣用標本は、採取した尿を遠心し、上清を取り除き、残った沈渣成分を染色しその染色沈渣成分をスライドグラス上に適量滴下した後、カバーグラスをかけることにより作成され、顕微鏡で観察される。
【０００４】
このような標本に関して、スライドグラス上にスクリン印刷により所定の厚さの囲み枠で囲われた滞留面を形成し、この滞留面に予め尿沈渣染色液を塗布したプレパラート作製用プレートが提案されている（例えば、特許文献１参照）。
【特許文献１】特開平７−１１３７３１
【発明の開示】
【発明が解決しようとする課題】
【０００５】
しかしながら、上記プレパラート作製用プレートは囲み枠をスクリン印刷して滞留面を形成しているため、滞留面はスライドグラス上に囲み枠により微小高さを有する空間部として形成される。従って、このようにして形成された滞留面は空間部に空気を巻き込み易く、また、滞留面に上下２方向が開放されているため、尿沈渣がこの開放部から漏出し、周囲を汚染するという問題がある。
【０００６】
一方、開放部がなく全周が囲み枠で囲まれた滞留面を形成したものも実用化されているが、この場合、上記のような開放部からの漏出は無い代わりに、微小高さの囲み枠を乗り越えて洩れ出し、隣接する滞留面に混入してコンタミネーションを引き起こし、検査の精度を低下させるという問題をはらんでいる。
【０００７】
本発明はかかる実情に鑑み、上記従来技術の問題点を解消し、空気を巻き込み難いばかりでなく、液体試料が漏出し難く、衛生的で作業性に優れた顕微鏡標本用プレートを提供するものである。
【課題を解決するための手段】
【０００８】
上記課題を解決するための本発明の請求項１は、ガラス板の表面に、凹状溝により囲まれた液体試料塗沫部を設けたことを特徴とする顕微鏡標本用プレートを内容とする。
【０００９】
本発明の請求項２は、凹状溝が２重の凹状溝からなる請求項１記載の顕微鏡標本用プレートを内容とする。
【００１０】
本発明の請求項３は、内側の凹状溝が幅０．３〜１．０ｍｍ、深さ０．３〜１．０ｍｍ、外側の凹状溝が幅０．５〜１．５ｍｍ、深さ０．５〜１．５ｍｍからなる請求項２記載の顕微鏡標本用プレートを内容とする。
【００１１】
本発明の請求項４は、液体試料塗沫部をガラス板の表面よりも僅かに低い位置に設けた請求項１〜３のいずれか１項に記載の顕微鏡標本用プレートを内容とする。
【００１２】
本発明の請求項５は、液体試料塗沫部をガラス板の表面よりも０．１〜０．３ｍｍ低い位置に設けた請求項１〜４のいずれか１項に記載の顕微鏡標本用プレートを内容とする。
【００１３】
本発明の請求項６は、液体試料塗沫部の外周の一部又は全部に堰止部を設けた請求項１〜５のいずれか１項に記載の顕微鏡標本用プレートを内容とする。
【００１４】
本発明の請求項７は、液体試料塗沫部の近傍に記録部を設けた請求項１〜６のいずれか１項に記載の顕微鏡標本用プレートを内容とする。
【００１５】
本発明の請求項８は、臨床検査用である請求項１〜７のいずれか１項に記載の顕微鏡標本用プレートを内容とする。
【発明の効果】
【００１６】
本発明の顕微鏡標本用プレートは、ガラス板の表面に凹状溝により囲まれた液体試料塗沫部を設けたことにより、空気を巻き込み難く、また余分の液体試料が凹状溝に溜まり堰止められ、衛生的で作業性が良好である。
【００１７】
凹状溝を２重の凹状溝とすることにより、万一、内側の凹状溝で堰止められなかった液体試料を外側の凹状溝で堰止めることができるので、周囲を汚染することが一層効果的に防止される。
【００１８】
液体試料塗沫部をガラス板の表面よりも僅かに低い位置に、好ましくは０．１〜０．３ｍｍ程度低い位置に設けることにより、塗沫量の多い場合に対応が容易となる。
【００１９】
また、液体試料塗沫部の外周の一部又は全部に堰止部を設けることにより、万一、最外の凹状溝より溢出した液体試料も堰止部で堰止められ、プレート外に漏出することが防止される。
【００２０】
また、液体試料塗沫部の近傍に記録部を設けることにより、液体試料提供者の氏名、番号、記号等が記載でき、検査の作業性及び信頼性を高めることができる。
【００２１】
また本発明の顕微鏡標本用プレートは臨床検査用、特に尿沈渣観察用として有用である。
【発明を実施するための最良の形態】
【００２２】
本発明の顕微鏡標本用プレートは、ガラス板の表面に、凹状溝により囲まれた液体試料塗沫部を設けたことを特徴とする。
【００２３】
液体試料塗沫部は矩形、円形、楕円形、多角形等のいずれでもよく、そのサイズも特に制限されないが、通常、矩形の場合は一辺が、また円形の場合は直径が、８〜１５ｍｍ程度のものが好ましい。これよりも小さい場合は液体試料の塗沫が困難であり、一方、これよりも大きくても意味がなく、却って、取り扱い性が悪くなるとともに、材料費が大きくなり不経済である。
【００２４】
凹状溝は液体試料塗沫部を画成するとともに、液体試料が塗沫部から洩れ出さないように堰止めるもので、少なくとも１個設けられる。上限は特に制限されないが、実用性の面からは３個（３重）程度が好ましく、より好ましくは２個（２重）である。
【００２５】
凹状溝は幅０．３〜１．５ｍｍ程度、深さ０．５〜１．５ｍｍ程度のものが好ましい。液体試料の漏出を、より確実に防止するには、内側の凹状溝と外側の凹状溝とからなる２重又は内側の凹状溝と中間の凹状溝と外側の凹状溝とからなる３重の構造とするのが好ましい。例えば、２重の凹状溝の場合は、内側の凹状溝は幅０．３〜１．０ｍｍ、深さ０．３〜１．０ｍｍ、外側の凹状溝は幅０．５〜１．５ｍｍ、深さ０．５〜１．５ｍｍ程度が好ましい。また内側の凹状溝より洩れ出た液体試料を外側の凹状溝で堰止めるために、内側の凹状溝よりも外側の凹状溝を大きく又は深く設計することが好ましい。３重の凹状溝を設ける場合も、内側、中間、外側と凹状溝が大きく又は深くなるように設計するのが好ましい。
【００２６】
液体試料塗沫部は、塗沫量が多い液体試料に対処するためには、ガラス板の表面よりも僅かに低い位置に、好ましくは０．１〜０．３ｍｍ程度、より好ましくは０．１ｍｍ程度低い位置に設けるのが好ましい。０．３ｍｍを越えて低い位置に設けると、空気を巻き込み易くなり、また、例えば赤血球が動きやすくなり不都合となる傾向がある。
【００２７】
ガラス板は、作業性や取り扱い性の面から一辺が５０〜１００ｍｍ程度の矩形が好ましく、厚さは１〜３ｍｍ程度が好ましい。
ガラス板には、液体試料塗沫部が少なくとも１個設けられるが、作業性や効率面から複数個設けるのが好ましく、５個以上設けるのがより好ましい。上限は特に制限されないが、余り多くなると合成樹脂シートのサイズも大きくならざるを得ず、作業性や取り扱い性が低下するので２０個程度が好ましい。
【００２８】
液体試料塗沫部の外周の一部又は全部に堰止部を設けることにより、万一、液体試料が最も外側の凹状溝より溢出した場合にも、この液体試料を堰止めることができ、プレート外への漏出を防ぐことができる。このような堰止部としては、例えば、凸状筋や凹状溝を外周の一部又は全部（全周）に設けたり、また、外周全体を少し高くした隆起部とすることが挙げられる。
【００２９】
液体試料塗沫部の近傍に、液体試料提供者の氏名や番号、記号等を記録するための記録部を設けることにより、作業性や依頼性を高めることができる。記録部は、例えば表面を荒らしたり、梨地状とすることにより設けられる。また、予めガラス板の液体試料塗沫部の近傍に、番号や記号を成形時に刻印したり、印刷等により設けておくことも可能である。
更に、顕微鏡標本用プレートの上下を区別できるようにガラス板の角部の丸み（アール）を変える、目印をつける、等のマーキングを施し、標本作成の作業性及び検査の信頼性を高めることも可能である。
【００３０】
本発明の顕微鏡標本用プレートには、必要に応じ、合成樹脂製カバーフィルムを設けることができる。カバーフィルムは液体試料の蒸発を防ぐ、埃の混入を防ぐ等の効果があり、また、カバーグラスを兼ねさせることもできる。従って、カバーフィルムは少なくとも液体試料塗沫部を覆うに十分なサイズのものが必要である。カバーフィルムは顕微鏡標本用プレートに密着する接着性を有し、水分を透過させない水分バリヤー性及び透明性を有する合成樹脂フィルムが好ましく、このようなフィルムとしては、ポリエチレン、２軸延伸ポリプロピレン、防湿セロファン、ポリエステル、ポリアミド、エチレン−ビニルアルコール共重合樹脂、塩化ビニル樹脂、塩化ビニリデン樹脂等が挙げられる。カバーフィルムの厚みは特に制限されないが、５０〜３００μｍ程度のものが好ましい。
【００３１】
カバーフィルムはカバーフィルムの両端を顕微鏡標本用プレートに接着剤、粘着剤で仮（弱）接着して着脱自在に接着してもよく、また、一端を顕微鏡標本用プレートの左右いずれか一端にヒートシールや接着剤、粘着剤によりヒンジ状に接着しカバーフィルムの他端を開閉自在としてもよい。この場合、接着剤又は粘着剤及び離型紙の順に積層し、接着又は仮接着したい場合には、該離型紙を剥し取り、露出した接着剤又は粘着剤により接着又は仮接着することもできる。
また、ガラス板の端部を一部切り欠いて、その部分はカバーフィルムのみとしてカバーフィルムを指で摘み易くしておくことにより、カバーフィルムの開閉を容易にすることができる。
【００３２】
本発明の顕微鏡標本プレートは、上記フィルムに代えて、ガラスや合成樹脂からなり、ある程度の剛性を有するカバープレートを用いることもできる。カバープレートの素材であるガラスはカバーグラスとして通常用いられているガラスが挙げられ、また、合成樹脂としては、前記したカバーフィルムの素材として掲げた合成樹脂が挙げられる。
【００３３】
上記の如き本発明の顕微鏡標本用プレートは、臨床検査、特に尿沈渣、唾液、血液等の液体試料の顕微鏡検査に有用であるが、なかんずく、尿沈渣の顕微鏡検査に好適である。
【実施例】
【００３４】
以下、実施例を示す図面に基づいて本発明を更に詳細に説明するが、本発明はかかる実施例のみに限定されるものではない。
【００３５】
実施例１
図１〜図３は、本実施例を示すもので、図１は顕微鏡標本用プレートの上面図、図２はＡ−Ａ断面図、図３は凹状溝により囲まれた液体試料塗沫部の拡大図である。
これらの図において、顕微鏡標本用プレート１はガラス板２の表面に、凹状溝３により囲まれた液体試料塗沫部４が上段及び下段にそれぞれ５個ずつ形成されている。
【００３６】
ガラス板２は５０ｍｍ×８５ｍｍ×２ｍｍで、凹状溝からなる内側凹状溝３ａは幅０．５ｍｍ、深さ０．５ｍｍ、内側の一辺８ｍｍ、凹状溝からなる外側凹状溝３ｂは幅１ｍｍ、深さ１ｍｍ、内側の一辺１１ｍｍからなり、これらの内側凹状溝３ａ及び外側凹状溝３ｂにより囲まれた液体試料塗沫部（８ｍｍ×８ｍｍ）４が形成されている。
尚、ガラス板２の左上の角部２ａは、他の３つの角部よりも大きなアールに設計されているが、これは顕微鏡標本用プレート１の上下を容易に区別し、標本作成の作業性及び検査の信頼性を高めるためのものである。
【００３７】
上記の顕微鏡標本用プレート１を用いて顕微鏡標本を作成するには、尿を採取し、これを遠心して上清を除去し、残った沈渣を該プレート１の液体試料塗沫部４に塗沫し、染色試薬で染色した後、通常は、以下に述べるように、カバーフィルム又はカバープレートを被着して標本とし、顕微鏡検査に供される。
【００３８】
実施例２
本実施例の顕微鏡標本プレート１は、図４及び図５に示すように、ガラス板２の表面にカバーフィルム５が被着されている。カバーフィルム５の一端（図では左側端部）はヒートシール６によりガラス板２に接着されている。
尚、図４において、ガラス板２の右側端部の略中央に切り欠き７が設けられているが、これはカバーフィルム５を開閉する場合に、この切り欠き７の部分はカバーフィルム５だけとなっているので、カバーフィルム５を容易に指で把持して開閉できるように配慮したものである。また、カバーフィルム５の左側端部をヒートシールとか接着剤で接着することにより、該接着部７がヒンジの役割を果たし、カバーフィルム５の開閉がし易くなる。
【００３９】
実施例３
本実施例の顕微鏡標本用プレート１は、図６に示すように、内側凹状溝３ａ、外側凹状溝３ｂにより囲まれた液体試料塗沫部４の上部に梨地からなる記録部８を設けた他は実施例２の場合と同様である。
このように、記録部８を設けることにより、尿沈渣提供者の氏名や番号、記号等を記録することができるので、作業性及び信頼性が高められる。
【００４０】
実施例４
本実施例の顕微鏡標本用プレート１は、図７に示すように、ガラス板２の液体試料塗沫部４の近傍（本例では、上段では上部、下段では下部）に番号１０を設けるとともに、左側端部にヒートシールに代えて接着剤（粘着剤）によりカバーフィルム５をガラス板２に接着し、該接着部９をヒンジ部とした他は実施例２の場合と同様である。
【００４１】
実施例５
本実施例の顕微鏡標本用プレート１は、図８に示すように、ガラス板２の液体試料塗沫部４の近傍（本例では、上段では上部、下段では下部）に番号１０を設けた他は実施例２の場合と同様である。尚、本例では、実施例４の場合と異なり、番号は上段も下段も左から右に付けられている。
【００４２】
実施例６
本実施例の顕微鏡標本用プレート１は、図９に示すように、ガラス板２の表面に、カバーフィルム５を左右の端部付近で粘着剤により仮（弱）接着して着脱自在に粘着させた他は実施例２の場合と同様である。図中、１１ａ、１１ｂは粘着部である。
この場合、粘着部１１ｂの代わりに、実施例２のように、ヒートシール又は接着剤を用い、ヒンジ部としてもよい。
【００４３】
実施例７
本実施例の顕微鏡標本用プレート１は、図１０に示すように、内側凹状溝３ａの深さを０．４ｍｍ、外側凹状溝３ｂの深さを０．７ｍｍとし、液体試料塗沫部４をガラス板２の表面よりも０．１ｍｍ低い位置に設けた他は実施例１と同じである。本実施例の顕微鏡標本プレート１は塗沫量が多い液体試料の場合に適している。
【００４４】
実施例８
本実施例の顕微鏡標本用プレート１は、図１１及び図１２に示すように、ガラス板２の縦、横の比率を変更し、液体試料塗沫部４を長方形とし、液体試料塗沫部４の近傍に番号１０を設けるとともに、プレート１の右側に、凹状溝からなる堰止部１２を設けた他は実施例１の場合と同様である。液体試料が万一外側凹状溝３ｂから洩れ出したとしても、プレート１を右側に傾けることにより堰止部１２の凹状溝に溜まり、プレート外への漏出が防止される。
【００４５】
実施例９
本実施例の顕微鏡標本用プレート１は、図１３及び図１４に示すように、プレート１の周縁に沿って、凹状溝からなる堰止部１３ａを周設した他は実施例８の場合と同様である。液体試料が万一外側凹状溝３ｂから洩れ出したとしても、プレート１を左右上下いずれかの方に傾けることにより堰止部１３ａの凹状溝に溜まり、プレート外への漏出が防止され、その効果は、堰止部１２を部分的に設けた実施例８のプレートよりも大である。
【００４６】
実施例１０
本実施例の顕微鏡標本用プレート１は、図１５及び図１６に示すように、液体試料塗沫部４を５個とした他は実施例８の場合と同様である。
【００４７】
実施例１１
本実施例の顕微鏡標本用プレート１は、図１７及び図１８に示すように、液体試料塗沫部４を５個とした他は実施例９の場合と同様である。
【００４８】
実施例１２
本実施例の顕微鏡標本用プレート１は、図１９及び図２０に示すように、凹状溝からなる堰止部１３ａを凸状筋からなる堰止部１３ｂとした他は実施例９の場合と同様である。液体試料が万一外側凹状溝３ｂから洩れ出したとしても、凸状筋からなる堰止部１３ｂにより堰止められ、プレート外への漏出が防止される。
【００４９】
実施例１３
本実施例の顕微鏡標本用プレート１は、図２１及び図２２に示すように、凹状溝からなる堰止部１３ａを隆起部からなる堰止部１３ｃとした他は実施例９の場合と同様である。液体試料が万一外側凹状溝３ｂから洩れ出したとしても、隆起部からなる堰止部１３ｃにより堰止められ、プレート外への漏出が防止される。
【００５０】
実施例１４
本実施例の顕微鏡標本用プレート１は、図２３に示すように、少なくとも液体試料塗沫部を覆うようにカバープレート１４を被着した他は実施例８の場合と同様である。
【００５１】
実施例１５
本実施例の顕微鏡標本用プレート１は、図２４に示すように、少なくとも液体試料塗沫部を覆うようにカバープレート１４を被着した他は実施例９の場合と同様である。
【００５２】
実施例１６
本実施例の顕微鏡標本用プレート１は、図２５に示すように、少なくとも液体試料塗沫部を覆うようにカバープレート１４を被着した他は実施例１０の場合と同様である。
【００５３】
実施例１７
本実施例の顕微鏡標本用プレート１は、図２６に示すように、少なくとも液体試料塗沫部を覆うようにカバープレート１４を被着した他は実施例１１の場合と同様である。
【産業上の利用可能性】
【００５４】
叙上のとおり、本発明の顕微鏡標本用プレートは、凹状溝により囲まれた液体塗沫部を設けたことにより、空気を巻き込み難く、且つ液体試料の漏出を効果的に防止することができるので、取り扱い易く、また周囲を汚染することが殆どない。
【図面の簡単な説明】
【００５５】
【図１】実施例１の顕微鏡標本用プレートを示す上面図である。
【図２】図１のＡ−Ａ断面図である。
【図３】内側凹状溝及び外側凹状溝により囲まれた液体試料塗沫部の拡大図である。
【図４】実施例２の顕微鏡標本用プレートを示す上面図である。
【図５】同Ｂ−Ｂ断面図である。
【図６】実施例３の顕微鏡標本用プレートを示す上面図である。
【図７】実施例４の顕微鏡標本用プレートを示す上面図である。
【図８】実施例５の顕微鏡標本用プレートを示す上面図である。
【図９】実施例６の顕微鏡標本用プレートを示す上面図である。
【図１０】実施例７の顕微鏡標本用プレートを示す要部断面図である。
【図１１】実施例８の顕微鏡標本用プレートを示す上面図である。
【図１２】同Ｃ−Ｃ断面図である。
【図１３】実施例９の顕微鏡標本用プレートを示す上面図である。
【図１４】同Ｄ−Ｄ断面図である。
【図１５】実施例１０の顕微鏡標本用プレートを示す上面図である。
【図１６】同Ｅ−Ｅ断面図である。
【図１７】実施例１１の顕微鏡標本用プレートを示す上面図である。
【図１８】同Ｆ−Ｆ断面図である。
【図１９】実施例１２の顕微鏡標本用プレートを示す上面図である。
【図２０】同Ｇ−Ｇ断面図である。
【図２１】実施例１３の顕微鏡標本用プレートを示す上面図である。
【図２２】同Ｈ−Ｈ断面図である。
【図２３】実施例１４の顕微鏡標本用プレートを示す上面図である。
【図２４】実施例１５の顕微鏡標本用プレートを示す上面図である。
【図２５】実施例１６の顕微鏡標本用プレートを示す上面図である。
【図２６】実施例１７の顕微鏡標本用プレートを示す上面図である。
【符号の説明】
【００５６】
１  顕微鏡標本用プレート
２  ガラス板
３ａ  内側凹状溝
３ｂ  外側凹状溝
４  液体試料塗沫部
５  カバーフィルム
６  ヒートシール
７  切り欠き
８  記録部
９  接着部
１０  番号
１１ａ、１１ｂ  粘着部
１２  堰止部（凹状溝）
１３ａ  堰止部（凹状溝）
１３ｂ  堰止部（凸状筋）
１３ｃ  堰止部（隆起部）
１４  カバープレート
【図１】
2006177875.tif 000003
【図２】
2006177875.tif 000004
【図３】
2006177875.tif 000005
【図４】
2006177875.tif 000006
【図５】
2006177875.tif 000007
【図６】
2006177875.tif 000008
【図７】
2006177875.tif 000009
【図８】
2006177875.tif 000010
【図９】
2006177875.tif 000011
【図１０】
2006177875.tif 000012
【図１１】
2006177875.tif 000013
【図１２】
2006177875.tif 000014
【図１３】
2006177875.tif 000015
【図１４】
2006177875.tif 000016
【図１５】
2006177875.tif 000017
【図１６】
2006177875.tif 000018
【図１７】
2006177875.tif 000019
【図１８】
2006177875.tif 000020
【図１９】
2006177875.tif 000021
【図２０】
2006177875.tif 000022
【図２１】
2006177875.tif 000023
【図２２】
2006177875.tif 000024
【図２３】
2006177875.tif 000025
【図２４】
2006177875.tif 000026
【図２５】
2006177875.tif 000027
【図２６】
2006177875.tif 000028